(57)【要約】      （修正有）【課題】効率的に手術用顕微鏡を操作することを可能にする顕微鏡システムおよび手術用顕微鏡を制御する方法を提供する。【解決手段】顕微鏡システム１００は、手術用顕微鏡１０２と、ユーザーによって操作されるように構成された操作装置１０６と、ユーザー操作に応じた操作装置からのコマンド信号を受信し、コマンド信号に基づき手術用顕微鏡を制御するように構成されたプロセッサ１０４と、を有しており、操作装置は、ユーザー操作を検出して、検出されたユーザー操作に基づきコマンド信号を生成するように構成されたセンサユニット１１４、１１６，１１８，１２０，１２２を有しており、センサユニットはさらに、ユーザーに装着されるように構成されている。【選択図】図１
2020194161.tif 000002
【特許請求の範囲】
【請求項１】
顕微鏡システム（１００）であって、前記顕微鏡システム（１００）は、
手術用顕微鏡（１０２）と、
ユーザー（１０８）によって操作されるように構成された操作装置（１０６）と、
ユーザー操作に応じた前記操作装置（１０６）からのコマンド信号（Ｓ）を受信し、前記コマンド信号に基づき前記手術用顕微鏡（１０２）を制御するように構成されたプロセッサ（１０４）と、
を有しており、
前記操作装置（１０６）は、前記ユーザー操作を検出して、検出された前記ユーザー操作に基づき前記コマンド信号（Ｓ）を生成するように構成されたセンサユニット（１１４〜１２２）を有していて、
前記センサユニット（１１４〜１２２）はさらに、前記ユーザー（１０８）に装着されるように構成されている、
顕微鏡システム（１００）。
【請求項２】
前記センサユニット（１１４〜１２２）は、ジャイロスコープ、加速度計、筋肉活動センサ、ボタン、圧力センサ、磁界センサ、電界センサ、誘導センサおよびマイクロフォンを含むグループから選択された少なくとも１つのセンサを備える、
請求項１記載の顕微鏡システム（１００）。
【請求項３】
前記センサユニット（１１４〜１２２）は、互いに相互作用するように構成されている、前記グループのうちの少なくとも２つのセンサを備える、
請求項２記載の顕微鏡システム（１００）。
【請求項４】
前記２つのセンサのうちの一方は、前記センサユニット（１１４〜１２２）のアクティベーションを検出するように構成されていて、他方のセンサは、前記センサユニット（１１４〜１２２）の前記アクティベーションが検出された後に、ユーザー入力に基づき前記コマンド信号を生成するように構成されている、
請求項３記載の顕微鏡システム（１００）。
【請求項５】
前記センサユニット（１１４〜１２２）は、独立型センサユニットであるように構成されている、
請求項１から４までのいずれか１項記載の顕微鏡システム（１００）。
【請求項６】
前記顕微鏡システム（１００）は、前記コマンド信号を生成するための前記センサユニット（１１４〜１２２）と相互作用するように構成されたさらなるセンサユニットを備える、
請求項１から４までのいずれか１項記載の顕微鏡システム（１００）。
【請求項７】
前記センサユニット（１１４〜１２２）は、操作状態についてのフィードバック情報を提供するように構成されたフィードバックモジュールを備える、
請求項１から６までのいずれか１項記載の顕微鏡システム（１００）。
【請求項８】
前記フィードバック情報は、前記センサユニット（１１４〜１２２）のアクティベーション状態および前記手術用顕微鏡（１０２）の操作ステータスのうちの少なくとも一方を含む、
請求項７記載の顕微鏡システム（１００）。
【請求項９】
前記フィードバックモジュールは、振動、機械的圧力、電気パルス、音声および光のうちの少なくとも１つの形態で前記フィードバックを提供するように構成されている、
請求項７または８記載の顕微鏡システム（１００）。
【請求項１０】
前記センサユニット（１１４〜１２２）は、前記コマンド信号の生成とは関係ない形式で前記手術用顕微鏡を制御するように構成された制御エレメントをさらに備える、
請求項１から９までのいずれか１項記載の顕微鏡システム（１００）。
【請求項１１】
前記制御エレメントは、ユーザー識別子を検出するように構成されている、
請求項１０記載の顕微鏡システム（１００）。
【請求項１２】
前記センサユニット（１１４〜１２２）は、前記ユーザーの身体的状態を検出するようにさらに構成されている、
請求項１から１１までのいずれか１項記載の顕微鏡システム（１００）。
【請求項１３】
前記顕微鏡システム（１００）は、前記ユーザー（１０８）の身体の一部に装着されるように構成されたユーザーウェアラブルデバイス（１２４，１２６，１２８，１３０，１３２）を有しており、前記ユーザーウェアラブルデバイスは、前記センサユニット（１１４〜１２２）を含んでいる、
請求項１から１２までのいずれか１項記載の顕微鏡システム（１００）。
【請求項１４】
手術用顕微鏡（１０２）を制御する方法であって、前記方法は、
ユーザー（１０８）に装着されたセンサユニット（１１４〜１２２）によって、ユーザー操作を検出するステップと、
検出された前記ユーザー操作に基づきコマンド信号（Ｓ）を生成するステップと、
前記コマンド信号（Ｓ）に基づき前記手術用顕微鏡（１０２）を制御するステップと、
を含む方法。
【請求項１５】
コンピュータプログラムであって、前記コンピュータプログラムがプロセッサ（１０４）で実行されるときに、請求項１４に記載の方法を実行するためのプログラムコードを有するコンピュータプログラム。
【発明の詳細な説明】
【技術分野】
【０００１】
本発明は、顕微鏡システムおよび手術用顕微鏡を制御する方法に関する。
【背景技術】
【０００２】
手術用顕微鏡は、患者の外科的処置を実行するために広く利用されている。このような手術用顕微鏡を使用する場合、顕微鏡の全ての操作、例えば再配置、焦点合わせ、ズーム等は、手術医と顕微鏡との物理的相互作用を必要とする。例えば、手術用顕微鏡に意図した操作を実行させるためには、手術医はボタンを押し、ハンドルを掴まなければならない。手術用顕微鏡を意図したとおりに操作するために、手術医は通常、作業を中断して、手術用器具から手を離さなければならないので、手術用顕微鏡を手動で操作することは特に煩わしいことである。手術用顕微鏡を調整した後で、手術医は手術用器具を取り上げて、顕微鏡の手動操作以前に作業していたターゲットスポットを再び見付けなければならない。手術医は例えば、設定の最適化のために作業を中断するよりも、例えば不十分な焦点合わせといった最適以下の設定で作業を続ける方が好都合であると思うので、このような中断は、遅延と最適以下の顕微鏡設定の融合という結果となってしまう。さらに、顕微鏡を手動で操作する助手のようなさらなる専門家を使うことは可能かもしれないが、このような対策は、コストと手術室内の限られたスペースの点で欠点となる。
【０００３】
近年、ジェスチャ制御を使用した顕微鏡システムが、文献欧州特許出願公開第３２８５１０７号明細書において提案された。しかしながら、この発明者らは、ユーザーから一定の距離を置いてジェスチャが検出されるので、このようなジェスチャ制御には限界があることに気付いている。したがって、発明者らは、特定の検出角度および／または位置ではジェスチャ認識が不可能であることがあることを発見した。例えば、ユーザーの脚または足の位置および動きを検出するために、手術台の下にカメラを配置することは適切ではない。さらに発明者らは、ジェスチャ認識は、ユーザーの身体が衣服によって覆われていて、これにより微細な動きが見えない場合のように、いくつかの状況では不正確になり得ることを発見した。さらに発明者らは、一般的に、ユーザーのジェスチャの光学認識は、手術医の偶発的な動きまたは手術室にいる別の人員による動きに起因してエラーが生じる傾向があることを発見した。
【発明の概要】
【発明が解決しようとする課題】
【０００４】
したがって、本発明の目的は、ユーザーが手術進行を中断することなく、またはいずれにせよ最小限にしか中断することなく、効率的に手術用顕微鏡を操作することを可能にする顕微鏡システムおよび手術用顕微鏡を制御する方法を提供することである。
【課題を解決するための手段】
【０００５】
上記目的は、独立請求項の主題によって達成される。好適な実施形態は、従属請求項に定義されている。
【０００６】
提案された顕微鏡システムは、手術用顕微鏡と、ユーザーによって操作されるように構成された操作装置と、ユーザー操作に応じた操作装置からのコマンド信号を受信し、コマンド信号に基づき手術用顕微鏡を制御するように構成されたプロセッサと、を有している。操作装置は、ユーザー操作を検出して、検出されたユーザー操作に基づきコマンド信号を生成するように構成されたセンサユニットを有している。センサユニットはさらに、ユーザーに装着されるように構成されている。
【０００７】
顕微鏡システムは、ユーザー（例えば、顕微鏡を操作する手術医または看護師）に装着されるように構成されたセンサユニットを有しているので、顕微鏡システムは、その場で、すなわちユーザーが、顕微鏡システムを制御するために操作装置を操作する場所で、ユーザー操作を検出することができる。したがって、一定の距離からユーザー操作を検出することに関する欠点は回避される。特に、提案された顕微鏡システムにより、ユーザーの位置に関係なく、かつ手術室内でユーザーまたはその他の人が動いているかどうかに関係なく、ユーザー操作の認識が可能である。したがって、ユーザーは、以前よりも簡単、迅速、かつより正確かつ信頼性をもって顕微鏡システムを制御することができる。
【０００８】
操作装置に含まれるセンサユニットの構造は、ユーザーが装着できる構造であれば、特定の実施形態に限定されない。このために、センサユニットは、ユーザーの身体の一部、例えば指、手、腕、頭、脚および／または足に取り付けることができるように形成することができる。例えば、センサユニットは、指輪、ブレスレット、リストバンド、ヘッドバンド、フットストラップ、膝ストラップ等として形成されていてよい。特に、顕微鏡システムは、ユーザーの身体の一部に装着されるように構成されたユーザーウェアラブルデバイスを有していてよく、前述のユーザーウェアラブルデバイスがセンサユニットを含んでいる。この点で、ウェアラブルデバイスは、操作装置で実施されたユーザー操作を検出するためだけに構成されていてもよい。または、ユーザーウェアラブルデバイスは、意図したセンサ機能以外の付加的な機能を提供するように構成されていてもよいので、この場合センサユニットは、ユーザーウェアラブルデバイスの複数のさまざまな機能要素のうちの１つだけを形成する。
【０００９】
好適には、センサユニットは、ジャイロスコープ、加速度計、筋肉活動センサ、ボタン、圧力センサ、磁界センサ、電界センサ、誘導センサおよびマイクロフォンを含むグループから選択された少なくとも１つのセンサを備える。ジャイロスコープと加速度計とは、例えば、上述の構成要素を含む操作装置が、ユーザーの腕に装着されるブレスレットの一部である場合にはユーザーの腕の回転運動を検出するために使用することができる。腕の動きを検出することにより、例えば、意図したとおりに手術用顕微鏡の光学系の焦点を調整することができる。言うまでもなく、その他任意の種類の顕微鏡操作も、このような方法で制御することができる。
【００１０】
好適な実施形態では、センサユニットは、前述のグループのうちの、互いに相互作用するように構成されている少なくとも２つのセンサを有している。例えば圧力センサを、ユーザー操作の検出精度を高めるために、筋肉活動センサに組み合わせることができる。
【００１１】
さらに好適な実施形態では、２つのセンサのうちの一方は、センサユニットのアクティベーションを検出するように構成されていて、他方のセンサは、センサユニットのアクティベーションが検出された後に、ユーザー入力に基づきコマンド信号を生成するように構成されている。上述したように２つのセンサを使用することにより、偶発的なコマンド信号の呼び出しを回避することができる。
【００１２】
好適には、センサユニットは、独立型センサユニットであるように、すなわち、対応部分デバイスを必要としないユニットであるように構成されていてよい。このような独立型センサユニットは、例えば加速度計によって形成することができる。代替的には、センサユニットは、対応部分デバイスを含むセンサシステムの一部であるように構成されていてよい。例えば、センサユニットは、ユーザーに装着することができる電界センサであってもよく、この電界センサは、対応部分デバイスによって生成された電界の変化を測定するように構成されている。
【００１３】
好適には、顕微鏡システムは、コマンド信号を生成するための前述のセンサユニットと相互作用するように構成されたさらなるセンサユニット、すなわち付加的なセンサユニットを備える。この付加的なセンサユニットは、ユーザー操作を検出するための精度を向上させるために使用することができる。さらに、完全なタスクを実行するために、ユーザーに装着することができるセンサユニットを前述のさらなるセンサユニットに組み合わせることができる。例えば、手術用顕微鏡の焦点を調節するために、ユーザーはジャイロスコープまたは加速度計の使用をアクティベートする音声コマンドを使用することができる。別の例によると、ジャイロスコープのアクティベーションは、ボタンを押すことにより実施することができ、このボタンは、ユーザーの片方の足に着用された靴に設けられており、他方の足によって押される。
【００１４】
好適な実施形態では、センサユニットは、操作状態についてのフィードバック情報を提供するように構成されたフィードバックモジュールを備える。このようなフィードバックモジュールは、ユーザーに装着すべきセンサユニットが、プロセッサにコマンド信号を送信するために、現在、使用されていることを確認するために使用することができる。
【００１５】
好適には、フィードバック情報は、センサユニットのアクティベーション状態および手術用顕微鏡の操作状態のうちの少なくとも１つを含む。例えば、フィードバックモジュールは、コマンド信号生成モードが終了し、センサユニットが現在、作動していないことを確認することができる。さらなる例として、フィードバックモジュールは、センサユニットを始動する試みが成功しなかったことを示す情報をユーザーに提供することができる。さらに、手術用顕微鏡からの全てのメッセージをフィードバックモジュールによって、ユーザーに注意喚起する操作状態についての対応するフィードバック情報へと変換することができる。このような操作状態は例えば、それ以上ズームを拡大できないまたは光源の過熱が発生する状態であり得る。
【００１６】
フィードバックモジュールは、振動、機械的圧力、電気パルス、音声および光のうちの少なくとも１つの形態で前述のフィードバックを提供するように構成されていてよい。
【００１７】
好適には、センサユニットは、前述のコマンド信号の生成とは関係ない形式で、すなわち、例えば、ズーム、焦点合わせ、再配置等のために、手術中にユーザーによって行われる手術用顕微鏡の操作以上を行う形式で、手術用顕微鏡を制御するように構成された制御エレメントをさらに備える。
【００１８】
好適には、制御エレメントは、ユーザー識別子を検出するように構成されている。例えば、ユーザー識別子を検出するための制御エレメントは、ＲＦＩＤ（非接触）チップを有していてよい。このような場合、ユーザーの識別に使用されるＲＦＩＤチップには、ユーザー操作を検出し、コマンド信号を生成するセンサユニットも含まれていてよく、このコマンド信号に基づき、手術用顕微鏡は、ユーザーの意図したように制御される。センサユニットは、ジェスチャを認識するために、例えば電界または磁界を検出するように構成されていてよい。ＲＦＩＤチップとセンサユニットとを組み合わせることにより、顕微鏡システムの機能性を向上させることができる。特に、顕微鏡システムは、複数のユーザーからの入力を区別し、さらには複数のユーザー間の共同アクションを可能にすることもできる。
【００１９】
好適な実施形態では、センサは、ユーザーの身体的状態を検出するように構成されていてよい。例えば、センサユニットは、疲労、ストレス、振戦、安定性を測定するように構成されていてよく、これにより、手術医の健康状態、手術を続ける能力等を評価することができる。
【００２０】
別の態様によれば、手術用顕微鏡を制御する方法であって、以下のステップ、すなわち、ユーザーに装着されたセンサユニットによって、ユーザー操作を検出するステップ、検出されたユーザー操作に基づきコマンド信号を生成するステップ、およびコマンド信号に基づき手術用顕微鏡を制御するステップ、を含む方法が提供される。
【００２１】
さらなる態様によれば、コンピュータプログラムであって、コンピュータプログラムがプロセッサで実行されるときに、前述の方法を実行するためのプログラムコードを有するコンピュータプログラムが提供される。
【００２２】
以下に、好適な実施形態を図面につき説明する。
【図面の簡単な説明】
【００２３】
【図１】１つの実施形態による顕微鏡システムの構造を示す図である。
【図２】図１の顕微鏡システムに含まれる手術用顕微鏡を制御する方法の例を説明するフローチャートである。
【発明を実施するための形態】
【００２４】
図１は、手術用顕微鏡１０２とプロセッサ１０４とを備えた顕微鏡システム１００を示す図である。プロセッサ１０４は、手術用顕微鏡１０２と物理的に分離されているコンピュータのような制御装置に含まれていてよい。または、プロセッサ１０４は、手術用顕微鏡１０２に統合されていてもよい。
【００２５】
顕微鏡システム１００はさらに、患者の手術を実施するときにユーザー１０８によって操作される操作装置１０６を有している。例えばユーザー１０８は、操作装置１０６を操作して、再配置、焦点合わせ、ズーム等に関して手術用顕微鏡１０２を制御することができる。このために、操作装置１０６は、ユーザー操作に応答してコマンド信号Ｓを生成し、このコマンド信号Ｓをプロセッサ１０４に送信するように構成されている。好適には、操作装置１０６からプロセッサ１０４へのコマンド信号Ｓの送信は無線通信によって行われる。したがって、操作装置１０６とプロセッサ１０４とは、それぞれ対応する無線通信手段１１０および１１２を含むことができる。
【００２６】
操作装置１０６は少なくとも１つのセンサユニットを有していて、このセンサユニットは、ユーザー操作を検出して、検出されたユーザー操作に基づきコマンド信号Ｓを生成するように構成されている。例示の目的で、図１には複数のセンサユニット１１４，１１６，１１８，１２０，１２２が示されていて、これらのセンサユニットは、ユーザー操作を検出し、コマンド信号を生成するために単独でまたは組み合わせて使用することができる。特に、センサユニット１１４〜１２２のうちの１つのみを使用すれば十分である。とはいえ、ユーザー１０８によって実行される手術用顕微鏡１０２の制御が比較的複雑になるときには特に、単一のセンサユニットを２つ以上使用することがいくつかの利点を含むかもしれない状況が考えられる。
【００２７】
図１に示した例によれば、さまざまなタイプのセンサ、例えばジャイロスコープ、加速度計およびボタンを提供することができる。センサユニット１１４〜１２２のそれぞれが、これらのセンサタイプのうちの１つ以上を備えていてよい。図１では、異なるセンサタイプが、異なる接尾辞「ａ」、「ｂ」、「ｃ」で示されていて、この場合、「ａ」はジャイロスコープセンサタイプ、「ｂ」は加速度計センサタイプ、「ｃ」はボタンセンサタイプを示している。したがって、参照符号１１４ａおよび１１４ｂは、例えば、センサユニット１１４がジャイロスコープと加速度計とによってそれぞれ形成されていてよいことを示している。同じことはその他のセンサユニット１１６〜１２２についても言える。
【００２８】
各センサユニット１１４〜１２２は、ユーザー１０８に装着されるように構成されている。例えば、センサユニット１１４は、ユーザー１０８の手首に装着されるように構成されているユーザーウェアラブルデバイス１２４に含まれている。したがって、ユーザーウェアラブルデバイス１２４は、リストバンドによって形成することができる。
【００２９】
相応に、センサユニット１１６は、ユーザー１０８の上腕に装着することができるユーザーウェアラブルデバイス１２６に含まれている。したがって、ユーザーウェアラブルデバイス１２６は、ブレスレットによって形成することができる。センサユニット１１８は、ユーザー１０８の足首に装着することができるユーザーウェアラブルデバイス１２８に含まれている。したがって、ユーザーウェアラブルデバイス１２８は、フットストラップによって形成することができる。センサユニット１２０は、ユーザー１０８の膝に装着することができるユーザーウェアラブルデバイス１３０に含まれている。したがって、ユーザーウェアラブルデバイス１３０は、膝ストラップによって形成することができる。最後に、センサユニット１２２は、ユーザー１０８の頭に装着することができるユーザーウェアラブルデバイス１３２に含まれている。したがって、ユーザーウェアラブルデバイス１３２は、ヘッドバンドによって形成することができる。
【００３０】
図１に示したように、センサユニット１１４は、ジャイロスコープ１１４ａおよび／または加速度計１１４ｂを有していてよい。同様に、センサユニット１１６はボタン１１６ｃを有していてよく、センサユニット１１８は、ジャイロスコープ１１８ａ、加速度計１１８ｂおよび／またはボタン１１８ｃを有していてよい。センサユニット１２０は、ボタン１２０ｃを有していてよい。センサユニット１２２は、ジャイロスコープ１２２ａおよび／または加速度計１２２ｂを有していてよい。
【００３１】
図１に示されたセンサは、単なる例として理解されたい。その他のセンサタイプも、例えば、筋肉活動センサ、圧力センサ、磁界センサ、電界センサ、誘導センサおよびマイクロフォンも使用することができる。
【００３２】
図１に示した実施形態で説明したように、ユーザー操作の検出精度を高めるために、さまざまなセンサタイプを組み合わせることができる。例えば、手の動きの検出精度は、センサユニット１１４が、ジャイロスコープ１１４ａと加速度計１１４ｂとの両方を使用する場合に向上させることができる。同様に、上述したセンサのうちの一方は、センサユニット１１４のアクティベーションを検出するように構成されていてよく、他方のセンサは、センサユニット１１４のアクティベーションが検出された後で、コマンド信号Ｓを生成することができる。
【００３３】
図１に示したセンサユニット１１４〜１２２は、独立型センサユニットであるように構成されている。しかしながら、各センサユニット１１４〜１２２は、関連する対応部分デバイスと相互作用するように構成されていてよい。
【００３４】
さらに、各センサユニット１１４〜１２２は、フィードバック情報を提供するフィードバックモジュールを有していてよく、このフィードバック情報に基づきユーザー１０８は、手術用顕微鏡１０２の特定の動作状態を検出することができる。例えば、このようなフィードバックモジュールは、対応するセンサユニットを開始する試みが失敗したことを、ユーザー１０８に通知することができる。
【００３５】
さらにセンサユニット１１４〜１２２は、ユーザー１０８の身体的状態を、例えば、疲労、ストレス、振戦および安定性を測定するように構成されていてよい。
【００３６】
図２には、手術用顕微鏡１０２を制御する方法の例を説明するフローチャートが示されている。図２に示した例では、ユーザー１０８の手の動きが、リストバンド１２４内に含まれるジャイロスコープ１１４ａによって検出されると想定する。
【００３７】
ステップＳ１で、ユーザー１０８は、例えば検査される患者のターゲット領域に焦点を合わせるために、手術用顕微鏡１０２を制御するために特定の方法で手を動かす。
【００３８】
ステップＳ２で、ジャイロスコープ１１４ａが、ユーザー１０８によって行われた手の動きを検出し、検出された手の動きに基づきコマンド信号Ｓを生成する。
【００３９】
ステップＳ３で、ジャイロスコープ１１４ａは、通信手段１１０および１１２を使用して無線通信を介してコマンド信号Ｓをプロセッサ１０４へと送信する。
【００４０】
ステップＳ４で、プロセッサが制御信号Ｃを生成し、この制御信号Ｃを手術用顕微鏡へと送信する。
【００４１】
ステップＳ５で、手術用顕微鏡１０２は、制御信号Ｃに基づきユーザーが意図した操作を行う。例えば、手術用顕微鏡１０２は、ターゲット領域上に光学系を焦点合わせするために、駆動機構を作動させる。
【００４２】
いくつかの態様を装置の文脈において説明してきたが、これらの態様が、対応する方法の説明も表していることが明らかであり、ここではブロックまたは装置がステップまたはステップの特徴に対応している。同様に、ステップの文脈において説明された態様は、対応する装置の対応するブロックまたは項目または特徴の説明も表している。ステップの一部または全部は、例えば、プロセッサ、マイクロプロセッサ、プログラマブルコンピュータまたは電子回路等のハードウェア装置（またはハードウェア装置を使用すること）によって実行されてもよい。いくつかの実施形態では、極めて重要なステップのいずれか１つまたは複数が、そのような装置によって実行されてもよい。
【００４３】
一定の実装要件に応じて、本発明の実施形態は、ハードウェアまたはソフトウェアで実装され得る。この実装は、非一過性の記録媒体によって実行可能であり、非一過性の記録媒体は、各方法を実施するために、プログラマブルコンピュータシステムと協働する（または協働することが可能である）、電子的に読取可能な制御信号が格納されている、デジタル記録媒体等であり、これは例えば、フロッピーディスク、ＤＶＤ、ブルーレイ、ＣＤ、ＲＯＭ、ＰＲＯＭおよびＥＰＲＯＭ、ＥＥＰＲＯＭまたはＦＬＡＳＨメモリである。したがって、デジタル記録媒体は、コンピュータ読取可能であってもよい。
【００４４】
本発明のいくつかの実施形態は、本明細書に記載のいずれかの方法が実施されるように、プログラマブルコンピュータシステムと協働することができる、電子的に読取可能な制御信号を有するデータ担体を含んでいる。
【００４５】
一般的に、本発明の実施形態は、プログラムコードを備えるコンピュータプログラム製品として実装可能であり、このプログラムコードは、コンピュータプログラム製品がコンピュータ上で実行されるときにいずれかの方法を実施するように作動する。このプログラムコードは、例えば、機械可読担体に格納されていてもよい。
【００４６】
別の実施形態は、機械可読担体に格納されている、本明細書に記載のいずれかの方法を実施するためのコンピュータプログラムを含んでいる。
【００４７】
したがって、換言すれば、本発明の実施形態は、コンピュータプログラムがコンピュータ上で実行されるときに本明細書に記載のいずれかの方法を実施するためのプログラムコードを有するコンピュータプログラムである。
【００４８】
したがって、本発明の別の実施形態は、プロセッサによって実行されるときに本明細書に記載のいずれかの方法を実施するために、格納されているコンピュータプログラムを含んでいる記録媒体（またはデータ担体またはコンピュータ読取可能な媒体）である。データ担体、デジタル記録媒体または被記録媒体は、典型的に、有形である、かつ／または非一過性である。本発明の別の実施形態は、プロセッサと記録媒体を含んでいる、本明細書に記載されたような装置である。
【００４９】
したがって、本発明の別の実施形態は、本明細書に記載のいずれかの方法を実施するためのコンピュータプログラムを表すデータストリームまたは信号シーケンスである。データストリームまたは信号シーケンスは例えば、データ通信接続、例えばインターネットを介して転送されるように構成されていてもよい。
【００５０】
別の実施形態は、処理手段、例えば、本明細書に記載のいずれかの方法を実施するように構成または適合されているコンピュータまたはプログラマブルロジックデバイスを含んでいる。
【００５１】
別の実施形態は、本明細書に記載のいずれかの方法を実施するために、インストールされたコンピュータプログラムを有しているコンピュータを含んでいる。
【００５２】
本発明の別の実施形態は、本明細書に記載のいずれかの方法を実施するためのコンピュータプログラムを（例えば、電子的にまたは光学的に）受信機に転送するように構成されている装置またはシステムを含んでいる。受信機は、例えば、コンピュータ、モバイル機器、記憶装置等であってもよい。装置またはシステムは、例えば、コンピュータプログラムを受信機に転送するために、ファイルサーバを含んでいてもよい。
【００５３】
いくつかの実施形態では、プログラマブルロジックデバイス（例えばフィールド・プログラマブル・ゲート・アレイ）が、本明細書に記載された方法の機能の一部または全部を実行するために使用されてもよい。いくつかの実施形態では、フィールド・プログラマブル・ゲート・アレイは、本明細書に記載のいずれかの方法を実施するためにマイクロプロセッサと協働してもよい。一般的に、有利には、任意のハードウェア装置によって方法が実施される。
【符号の説明】
【００５４】
１００  顕微鏡システム
１０２  手術用顕微鏡
１０４  プロセッサ
１０６  操作装置
１０８  ユーザー
１１０，１１２  無線通信手段
１１４  センサ手段
１１４ａ  ジャイロスコープ
１１４ｂ  加速度計
１１６  センサ手段
１１６ｃ  ボタン
１１８  センサ手段
１１８ａ  ジャイロスコープ
１１８ｂ  加速度計
１１８ｃ  ボタン
１２０  センサユニット
１２０ｃ  ボタン
１２２  センサ手段
１２２ａ  ジャイロスコープ
１２２ｂ  加速度計
１２４  リストバンド
１２６  ブレスレット
１２８  フットストラップ
１３０  膝ストラップ
１３２  ヘッドバンド
Ｓ  コマンド信号
Ｃ  制御信号
【図１】
2020194161.tif 000003
【図２】
2020194161.tif 000004
【外国語明細書】
2020194161.tif 000005
2020194161.tif 000006
2020194161.tif 000007
2020194161.tif 000008
2020194161.tif 000009
2020194161.tif 000010
2020194161.tif 000011
2020194161.tif 000012
2020194161.tif 000013
2020194161.tif 000014
2020194161.tif 000015
2020194161.tif 000016
2020194161.tif 000017
2020194161.tif 000018
2020194161.tif 000019
2020194161.tif 000020
2020194161.tif 000021
2020194161.tif 000022
2020194161.tif 000023
2020194161.tif 000024
2020194161.tif 000025
2020194161.tif 000026
2020194161.tif 000027